【手続補正書】
【提出日】平成28年1月18日(2016.1.18)
【手続補正１】
【補正対象書類名】明細書
【補正対象項目名】００３０
【補正方法】変更
【補正の内容】
【００３０】
ガイドレール部材２２Ｒを支持するガイドレール載置部１２ａと，ガイドレール部材２２Ｌを支持するガイドレール載置部１２ｃとは、それぞれ、互いに同一構造を有するのでガイドレール載置部１２ａについて説明し、ガイドレール載置部１２ｃについての説明を省略する。ガイドレール載置部１２ａは、ガイドレール部材２２Ｒをプリント配線基板１２に固定するための後述する小ネジＢＳ２が挿入される複数の孔１２Ｈ２を所定位置に有している。これにより、案内部材としてのガイドレール部材２２Ｒおよび２２Ｌは、それぞれ、小ネジＢＳ２が孔１２Ｈ２を介して後述する雌ねじ孔にねじ込まれることによりガイドレール載置部１２ａ、１２ｃに固定される。
【手続補正２】
【補正対象書類名】明細書
【補正対象項目名】００４４
【補正方法】変更
【補正の内容】
【００４４】
一方、ガイドレール部材２２Ｌは、例えば、樹脂材料で成形され、図４に示されるように、モジュール１４の一方の側部を案内し保持するガイド壁部２２ＬＷと、ガイド壁部２２ＬＷと一体に形成されプリント配線基板１２のガイドレール載置部１２ｃに固定されるフランジ部２２ＬＳとから構成されている。ガイド壁部２２ＬＷ、および、フランジ部２２ＬＳの構成は、それぞれ、上述のガイド壁部２２ＲＷ、および、フランジ部２２ＲＳの構成と同様とされるのでその説明を省略する。
【手続補正３】
【補正対象書類名】明細書
【補正対象項目名】００４５
【補正方法】変更
【補正の内容】
【００４５】
ヒートシンクユニットは、図５に示されるように、ヒートシンク本体１６と、ヒートシンク本体１６を上述のガイドレール部材２２Ｒおよびガイドレール部材２２Ｌの上端に固定するための４本の小ネジＢＳ１とを含んで構成されている。
【手続補正４】
【補正対象書類名】明細書
【補正対象項目名】００４６
【補正方法】変更
【補正の内容】
【００４６】
ヒートシンク本体１６は、熱伝導性の良好な金属、例えば、アルミニウム合金で薄板状に成形されている。ヒートシンク本体１６におけるガイドレール部材２２Ｒおよびガイドレール部材２２Ｌの上端に向き合う表面の両端には、それぞれ、フィン群１６ＲＷ１および１６ＲＷ２、フィン群１６ＬＷ１および１６ＬＷ２が向かい合って形成されている。フィン群１６ＲＷ１および１６ＲＷ２と、フィン群１６ＬＷ１および１６ＬＷ２とは、互いに同一の構造を有するのでフィン群１６ＲＷ１および１６ＲＷ２について説明し、フィン群１６ＬＷ１および１６ＬＷ２の説明を省略する。
【手続補正５】
【補正対象書類名】明細書
【補正対象項目名】００４８
【補正方法】変更
【補正の内容】
【００４８】
フィン群１６ＲＷ１とフィン群１６ＬＷ１との間であって、フィン群１６ＲＷ１およびフィン群１６ＬＷ１のそれぞれの脇には、所定の間隔をもって小ネジＢＳ１が、上述のガイドレール部材２２Ｒおよびガイドレール部材２２Ｌの雌ねじ孔に対応して設けられている。ヒートシンクユニットがガイドレール部材２２Ｒおよびガイドレール部材２２Ｌに組み付けられた場合、図３に示されるように、コネクタカバー２０のスロットの位置がプリント配線基板１２の実装面により近い位置に設定されるとともに、ヒートシンク本体１６の平坦な上面にフィンが設けられていないのでプリント配線基板１２の実装面からヒートシンク本体１６の平坦な上面までの高さＨは、比較的低く設定されることとなる。
【手続補正６】
【補正対象書類名】明細書
【補正対象項目名】００５３
【補正方法】変更
【補正の内容】
【００５３】
リセプタクルアセンブリーは、図９において図示が省略されるが、モジュール１４の着脱のとき、モジュール１４を案内するブラケット２４（図４参照）と、ブラケット２４を介してモジュール１４を着脱可能に収容する収容部を形成する一対のガイドレール部材２２´Ｒ，２２´Ｌと、装着されたモジュール１４のプラグコネクタ１４Ｐのコンタクトパッドとプリント配線基板１２´の導体パターンとを電気的に接続するホストコネクタ１８と、ホストコネクタ１８を覆うコネクタカバー２０と、を主な要素として含んで構成されている。
【手続補正７】
【補正対象書類名】明細書
【補正対象項目名】００５６
【補正方法】変更
【補正の内容】
【００５６】
ガイドレール部材２２´Ｒを支持するガイドレール載置部１２´ａと，ガイドレール部材２２´Ｌを支持するガイドレール載置部１２´ｃとは、それぞれ、互いに同一構造を有するのでガイドレール載置部１２´ａについて説明し、ガイドレール載置部１２´ｃについての説明を省略する。ガイドレール載置部１２´ａは、ガイドレール部材２２´Ｒをプリント配線基板１２´に固定するための小ネジＢＳ２が挿入される複数の孔を所定位置に有している。これにより、案内部材としてのガイドレール部材２２´Ｒおよび２２´Ｌは、それぞれ、小ネジＢＳ２がその孔を介して雌ねじ孔２２´ＦＳにねじ込まれることによりガイドレール載置部１２´ａ、１２´ｃに固定される。
【手続補正８】
【補正対象書類名】明細書
【補正対象項目名】００６４
【補正方法】変更
【補正の内容】
【００６４】
従って、斯かる例においても、コネクタカバー２０のスロットの位置がプリント配線基板１２´の実装面により近い位置に設定されることとなるのでリセプタクルアセンブリーの低背化を図ることができる。
【手続補正９】
【補正対象書類名】明細書
【補正対象項目名】００９４
【補正方法】変更
【補正の内容】
【００９４】
第２の窪み部３４Ｒ２は、モジュール４４のアッパケース４４Ｕおよびロアケース４４Ｌの各突起壁部４４ＵＧおよび４４ＬＧに対応して形成されている。第２の窪み部３４Ｒ２の周縁には、通過するモジュール４４の各突起壁部４４ＵＧおよび４４ＬＧが摺接される。第３の窪み部３４Ｒ３は、上述のモジュール４４のアッパケース４４Ｕの突起壁部４４ＵＧに連なる上端部に対応して形成されている。第３の窪み部３４Ｒ３の幅寸法は、対応するモジュールの上端部の幅寸法Ｌａに比して大に設定されている。
【手続補正１０】
【補正対象書類名】明細書
【補正対象項目名】０１１５
【補正方法】変更
【補正の内容】
【０１１５】
第２の窪み部５４Ｒ２は、モジュール６４のアッパケース６４Ｕおよびロアケース６４Ｌの各突起壁部６４ＵＧおよび６４ＬＧに対応して形成されている。第２の窪み部５４Ｒ２の周縁には、通過するモジュール６４の各突起壁部６４ＵＧおよび６４ＬＧが摺接される。
【手続補正１１】
【補正対象書類名】明細書
【補正対象項目名】０１１７
【補正方法】変更
【補正の内容】
【０１１７】
斯かる構成において、モジュール６４のプラグコネクタがホストコネクタ２８に接続される場合、図１６（Ｂ）に示されるように、モジュール６４のアッパケース６４Ｕの上端部の溝６４Ｄ１および６４Ｄ２がブラケット５４の第３の窪み部５４Ｒ３における係合片５４Ｋ１および５４Ｋ２に位置合わされた状態で、モジュール６４がブラケット５４のガイドスロット、および、ブラケット支持部のガイドスロットを通じて挿入される場合、ガイドレール４２Ｒおよび４２Ｌに案内され上述のモジュール収容部内に保持される。
【手続補正１２】
【補正対象書類名】明細書
【補正対象項目名】０１１８
【補正方法】変更
【補正の内容】
【０１１８】
一方、図１６（Ｃ）に示されるように、モジュール６４のロアケース６４Ｌがブラケット５４の第３の窪み部５４Ｒ３に誤って位置合わされた状態で、即ち、モジュール６４が裏返しされた状態で、モジュール６４がブラケット５４のガイドスロット、および、ブラケット支持部のガイドスロットに挿入されるとき、モジュール６４のロアケース６４Ｌがブラケット５４の第３の窪み部５４Ｒ３における係合片５４Ｋ１および５４Ｋ２に当接されるので誤った姿勢のモジュール６４のブラケット５４への挿入が回避される。
【手続補正１３】
【補正対象書類名】明細書
【補正対象項目名】０１３０
【補正方法】変更
【補正の内容】
【０１３０】
第３の窪み部５８Ｒ３は、上述のモジュール６８のアッパケース６８Ｕの突起壁部６８ＵＧに連なる上端部に対応して形成されている。また、第３の窪み部５８Ｒ３の周縁には、アッパケース６８Ｕの溝６８Ｄ１，６８Ｄ２に対応して係合片５８Ｋ１および５８Ｋ２が形成されている。
【手続補正１４】
【補正対象書類名】明細書
【補正対象項目名】０１３８
【補正方法】変更
【補正の内容】
【０１３８】
また、モジュール６４のプラグコネクタがホストコネクタに接続される場合、図１６（Ｂ）に示されるように、モジュール６４のアッパケース６４Ｕの上端部の溝６４Ｄ１および６４Ｄ２がブラケット５４の第３の窪み部５４Ｒ３における係合片５４Ｋ１および５４Ｋ２に位置合わされた状態で、モジュール６４がブラケット５４のガイドスロット、および、ブラケット支持部５５のガイドスロットを通じて挿入される場合、モジュール６４がガイドレール２２Ｒおよび２２Ｌに案内され上述のモジュール収容部内に保持される。
【手続補正１５】
【補正対象書類名】明細書
【補正対象項目名】０１３９
【補正方法】変更
【補正の内容】
【０１３９】
一方、図１６（Ｃ）に示されるように、モジュール６４のロアケース６４Ｌがブラケット５４の第３の窪み部５４Ｒ３に誤って位置合わされた状態で、即ち、モジュール６４が裏返しされた状態で、モジュール６４がブラケット５４のガイドスロット、および、ブラケット支持部５５のガイドスロットに挿入されるとき、モジュール６４のロアケース６４Ｌがブラケット５４の第３の窪み部５４Ｒ３における係合片５４Ｋ１および５４Ｋ２に当接されるので誤った姿勢のモジュール６４のブラケット５４への挿入が回避される。